(57)【要約】  開始フレームデリミタを用いるパケット情報送信装置は、１つの開始フレームデリミタ（Start Frame Delimiter：ＳＦＤ）コードを生成し、特定の付加情報を知らせるために上記付加情報に対応する位置に上記生成されたＳＦＤコードを位置させることによりパケットを送信するＳＦＤ送信部と、上記パケットを上記ＳＦＤ送信部から受信し、パケット内に位置した上記ＳＦＤコードの位置を検出することにより、上記検出された位置に対応する付加情報を検出するＳＦＤ受信部と、を有することを特徴とする。
2013526174.tif 000002
【特許請求の範囲】
【請求項１】
開始フレームデリミタを用いるパケット情報送信装置であって、
１つの開始フレームデリミタ（ＳＦＤ）コードを生成し、特定の付加情報を知らせるために前記付加情報に対応する位置に前記生成されたＳＦＤコードを位置させることによりパケットを送信するＳＦＤ送信部と、
前記パケットを前記ＳＦＤ送信部から受信し、パケット内に位置した前記ＳＦＤコードの位置を検出することにより、前記検出された位置に対応する付加情報を検出するＳＦＤ受信部と、
を有することを特徴とするパケット情報送信装置。
【請求項２】
前記ＳＦＤ送信部は、
１つのＳＦＤコードを生成するＳＦＤコード生成部と、
前記ＳＦＤコードの位置区分のためのガベージデータを生成するガベージ生成部と、
前記ＳＦＤコードの位置に従ってそれぞれ異なる付加情報が格納されている付加情報マッピングテーブルと、
前記ＳＦＤコードの位置に従ってそれぞれ異なる付加情報をマッピングする付加情報追加制御部と、
を有することを特徴とする請求項１に記載のパケット情報送信装置。
【請求項３】
前記付加情報マッピングテーブルは、予め定義されており、前記ＳＦＤ送信部及び前記ＳＦＤ受信部が共有し、前記ＳＦＤ送信部及び前記ＳＦＤ受信部の同意に基づいて前記付加情報を変更することができることを特徴とする請求項２に記載のパケット情報送信装置。
【請求項４】
前記ＳＦＤ受信部は、
ＳＦＤフィールドの受信時点を知るためにＳＦＤの前のフィールドであるプリアンブルフィールドを検出するプリアンブル検出部と、
前記ＳＦＤ送信部から受信されるＳＦＤコードの位置を確認することにより、対応する位置にマッピングされた付加情報を確認するＳＦＤコードマッチングフィルターと、
前記ＳＦＤフィールドの開始点及び前記ＳＦＤコードの終了点を検出することにより、その時間値を計算するＳＦＤ検出ブロックと、
を有することを特徴とする請求項１に記載のパケット情報送信装置。
【請求項５】
前記ＳＦＤコードマッチングフィルターは、前記マッピングされた付加情報を、付加情報マッピングテーブルを介して確認することを特徴とする請求項４に記載のパケット情報送信装置。
【請求項６】
開始フレームデリミタを用いるパケット情報送信方法であって、
１つの開始フレームデリミタ（ＳＦＤ）コードを生成するステップと、
前記ＳＦＤコードの位置の区分のためにガベージデータを生成するステップと、
送信しようとする付加情報をマッピングするために前記生成されたＳＦＤコードの位置を制御するステップと、
前記制御されたＳＦＤコードを含むパケットを送信するステップと、
を有することを特徴とするパケット情報送信方法。
【請求項７】
前記位置を制御するステップは、ユーザが所望する付加情報のマッピングのために前記ＳＦＤコードの前方又は後方に前記ガベージデータを異なって含ませることにより前記ＳＦＤコードの相関値検出時点を異ならせるステップであることを特徴とする請求項６に記載のパケット情報送信方法。
【請求項８】
開始フレームデリミタ（ＳＦＤ）を用いるパケット情報受信方法であって、
ＳＦＤフィールドの受信時点を知るためにＳＦＤの前のフィールドであるプリアンブルフィールドを検出するステップと、
受信されるパケットに含まれたＳＦＤコードの位置を検出するステップと、
前記検出されたＳＦＤコードの位置にマッピングされる付加情報を確認するステップと、
前記確認された付加情報を解釈するステップと、
を有することを特徴とするパケット情報受信方法。
【請求項９】
前記付加情報を確認するステップは、前記検出されたＳＦＤコードの位置情報に対応する付加情報を、送信部及び受信部が共有する付加情報マッピングテーブルを介して確認するステップであることを特徴とする請求項８に記載のパケット情報受信方法。
【発明の詳細な説明】
【技術分野】
【０００１】
本発明は、パケット送信のためのものに関し、特に、無線通信を用いてパケットデータを送信する通信システムの開始フレームデリミタを用いて付加情報を伝達する方法に関する。
【背景技術】
【０００２】
一般的に、パケットベースの無線通信システムは、送受信部分で構成され、送信部及び受信部は、パケットを用いてデータを送受信する。送信部は、フレームの開始をわかるように同期信号を送信する。この同期信号の送信は、送受信側で約束されたシーケンスを使用して行われる。このような同期信号では、プリアンブルシーケンス（Preamble Sequence）及び開始フレームデリミタ（Start Frame Delimiter：ＳＦＤ）を使用する。この同期信号で送受信が行われる場合に、プリアンブルシーケンスを用いてビット同期を取得し、ＳＦＤを用いてフレームの開始時点を把握することにより、後のデータを復調し始める。
【０００３】
図１は、既存のデータ送信パケットの構成を示すブロック図である。データ送信パケットは、プリアンブル、ＳＦＤ、ヘッダー、ペイロード、及びフレームチェックシーケンス（Frame Check Sequence：ＦＣＳ）を含む。
【０００４】
図１を参照すると、プリアンブル及びＳＦＤを用いてフレームの開始点を探した後にヘッダーの復調パラメータに基づいてユーザデータを復調する。ヘッダーを介して送信されるパラメータは、チャネル環境が良好な場合に大量のデータ送信をサポートし、チャネル環境が劣悪な場合にはデータ送信量を最小にし、受信利得を保証するなどの送信資源の効率的な使用を図るための情報を含む。
【０００５】
しかしながら、１：１通信システム、アドホックネットワークをサポートする通信システム、及び１：ｎの多重接続をサポートする通信システムなどの様々なシステムが存在する無線接続環境で効率的な通信手段を有するために、この通信システムは、様々なパケットの長さ及びデータの送信速度をサポートし、通信システムのユーザデータの送受信に成功するためには、ヘッダーの復調に成功しなければならない。様々なデータ送信速度をサポートするシステムにおいて、送信速度の情報がヘッダーを介して提供されるため、ヘッダーの送信速度は固定されなければならず、最も高い受信性能が保持されなければならない。したがって、ヘッダーの復調に成功するためには、対応する通信システムが許容する最も低い送信速度で固定されなければならない。
【０００６】
チャネル環境が劣悪な場合には、正確なデータ送信速度の情報伝達のためにヘッダーの送信速度を最低速にして受信性能を確保することが当然である。しかしながら、チャネル環境が良好な状態で高速データを送信しようとする場合には、最低速で固定されたヘッダーの送信速度は、オーバーヘッダーによる送信リソースの浪費につながる。例えば、通信システムの送信速度が６２．５ｋｂｐｓ／１２５ｋｂｐｓ／５００ｋｂｐｓ／１Ｍｂｐｓをサポートする場合に、ヘッダーの送信速度は、６２．５ｋｂｐｓに固定される。この際に、１Ｍｂｐｓで通信しようとする場合に、固定されたヘッダーの送信速度により通信システムの処理量が減少する。したがって、様々なデータ送信速度をサポートする通信システムにおいて、パケットの長さが短い場合にもオーバーヘッドの発生なしに通信システムの処理量を向上させる方法が要求されている。
【発明の概要】
【発明が解決しようとする課題】
【０００７】
本発明の目的は、少なくとも上述した問題点及び／又は不都合に取り組み、少なくとも以下の便宜を提供することにある。すなわち、本発明の目的は、無線チャネル環境に対処するために様々なデータ送信速度をサポートする通信システムのパケット長さが短い場合にも付加情報をＳＦＤに付加することによりオーバーヘッドの発生なしに通信システム自体の処理量を向上させる装置及び方法を提供することにある。
【課題を解決するための手段】
【０００８】
上記のような目的を達成するために、本発明の実施形態の一態様によれば、開始フレームデリミタを用いるパケット情報送信装置は、１つの開始フレームデリミタ（Start Frame Delimiter:ＳＦＤ）コードを生成し、特定の付加情報を知らせるために上記付加情報に対応する位置に上記生成されたＳＦＤコードを位置させることによりパケットを送信するＳＦＤ送信部と、上記パケットを上記ＳＦＤ送信部から受信し、パケット内に位置した上記ＳＦＤコードの位置を検出することにより、上記検出された位置に対応する付加情報を検出するＳＦＤ受信部と、を含むことを特徴とする。
【０００９】
本発明の実施形態の他の態様によれば、開始フレームデリミタを用いるパケット情報送信方法は、１つの開始フレームデリミタ（ＳＦＤ）コードを生成するステップと、上記ＳＦＤコードの位置の区分のためにガベージデータを生成するステップと、送信しようとする付加情報をマッピングするために上記生成されたＳＦＤコードの位置を制御するステップと、上記制御されたＳＦＤコードを含むパケットを送信するステップと、を含むことを特徴とする。
【００１０】
本発明の実施形態のさらなる他の態様によれば、開始フレームデリミタを用いるパケット情報受信方法は、開始フレームデリミタ（ＳＦＤ）フィールドの受信時点を知るためにＳＦＤの前のフィールドであるプリアンブルフィールドを検出するステップと、受信されるパケットに含まれたＳＦＤコードの位置を検出するステップと、上記検出されたＳＦＤコードの位置にマッピングされた付加情報を確認するステップと、上記確認された付加情報を解釈するステップと、を含むことを特徴とする。
【発明の効果】
【００１１】
本発明は、付加情報を開始フレームデリミタに付加することによりパケット情報を予め確認し、受信パケットのヘッダーを復調しなくても受信パケット情報を確認することにより通信システム自体の処理量を向上させることができるという長所がある。
【図面の簡単な説明】
【００１２】
【図１】既存のデータ送信パケットの構成を示すブロック図である。
【図２】本発明の一実施形態による開始フレームデリミタの内部構成を示すブロック図である。
【図３】本発明の一実施形態によるＳＦＤフィールドの構成を示す図である。
【図４】本発明の一実施形態によるＳＦＤ付加情報マッピングテーブルの構成を示す図である。
【図５】本発明の一実施形態による通信システムの処理量を示すグラフである。
【発明を実施するための形態】
【００１３】
以下、本発明の好適な実施形態について添付図面を参照しながら詳細に説明する。下記の説明では、特許請求の範囲の記載及びこれと均等なものの範囲内で定められるような本発明の実施形態の包括的な理解を助けるために提供するものであり、この理解を助けるために具体的な回路の構成素子などのような様々な特定の詳細を含むが、単に例示に過ぎない。従って、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００１４】
本発明は、パケット情報を予め確認することにより受信パケットのヘッダーを復調しなくても受信パケットの情報を確認する方法を提案する。このために、本発明は、ＳＦＤに付加情報を含ませるステップと、これを受信側でヘッダーを復調する前に確認するステップとから構成される。特に、本発明において、ヘッダーを復調せず受信パケットの情報を確認する方法を提案することにより、複雑なハードウェアを簡素化し通信システム全体の処理量の向上を期待することができる。
【００１５】
上述したような機能が実現されたパケットでＳＦＤの構成要素及びその動作を、図２を参照して説明する。図３は、本発明の一実施形態によるＳＦＤの内部構成を示すブロック図である。図２を説明すると、ＳＦＤは、送信部と受信部とに大別され、送信部は、付加情報マッピングテーブル２０１、付加情報追加制御部２０３、ＳＦＤコード生成部２０５、及びガベージ（Garbage）生成部２０７を含み、受信部は、プリアンブル検出部２１１、ＳＦＤコードマッピングフィルター２１３、及びＳＦＤ検出ブロック２１５を含む。まず、ＳＦＤ送信部を構成している構成要素を説明すると、次のようである。
【００１６】
ＳＦＤコード生成部２０５は、ＳＦＤコードを生成する。本発明において、１つのＳＦＤコードだけを使用するので、ＳＦＤコードの生成は、１回で終了され、時間差による受信を区分するためにＳＦＤフィールド全体の長さより小さく生成される。このように生成されたＳＦＤコードは、その位置に従って他の付加情報を有する。
【００１７】
ガベージ生成部２０７は、ガベージデータを生成する。このガベージデータは、特定の情報を含まず、ＳＦＤコードの位置の区分のために使用される。このガベージデータは、この生成されたＳＦＤコードの開始時点から終了時点以外の他の時間に含まれ、このガベージデータが含まれた位置に従ってＳＦＤコードが有する付加情報が変わる。
【００１８】
付加情報マッピングテーブル２０１は、各タイプに従って付加情報をマッチングする。このようなＳＦＤマッピングテーブルは、送信部及び受信部に予め定義されており、送信部と受信部との交渉を介して調整され得る。
【００１９】
付加情報追加制御部２０３は、ＳＦＤコードの位置を把握することによりどの付加情報を追加するかを判定する。例えば、ＳＦＤコードの位置が前方である場合には、タイプＡの付加情報を追加することができ、ＳＦＤコードの位置が後方である場合には、タイプＢの付加情報を追加することができる。
【００２０】
ＳＦＤコード生成部２０５で生成したＳＦＤコード及びガベージ生成部２０７で生成したガベージデータは、マルチプレクサ（ＭＵＸ）２０９に送信され、付加情報追加制御部２０３は、ＳＦＤコード及びガベージデータを用いて特定の付加情報が追加されたパケットを生成し、ＳＦＤ受信部に送信する。
【００２１】
次いで、ＳＦＤ受信部を構成する構成要素を説明すると、次のようである。
【００２２】
プリアンブル検出部２１１は、ＳＦＤフィールドの受信時点を知るために、前のフィールドであるプリアンブルフィールドを検出する。プリアンブル検出部２１１を介してＳＦＤの開始時点を確認することができる。
【００２３】
ＳＦＤコードマッチングフィルターは、ＳＦＤ送信部から受信されるＳＦＤコードを用いてＳＦＤコードの相関値を検出する。すなわち、ＳＦＤ送信部から受信されるＳＦＤコードの位置がどこであるかを把握することにより、対応する位置に従うＳＦＤコードの相関値を求める。例えば、ＳＦＤ送信部でタイプＡの付加情報の形態で制御されたＳＦＤコードを受信する場合に、ＳＦＤコードマッチングフィルター２１は、ＳＦＤ送信部と同一のマッピングテーブルを用いてＳＦＤフィールド開始時点及びＳＦＤフィールド期間内の相関最大値が発生した時点に関する情報を用いてＳＦＤ送信部がタイプＡに関する情報を送信したことをわかる。
【００２４】
ＳＦＤ検出ブロックは、ＳＦＤフィールド開始点及びＳＦＤフィールド期間内の最大値が発生した時点に関する情報を検出する。開始点及び最大値が発生した時点を検出することによりＳＦＤ送信部でどのタイプの付加情報を送信したかを確認することができる。
【００２５】
図３は、本発明の一実施形態によるＳＦＤフィールドの構成を示す図である。
【００２６】
図３を参照すると、ＳＦＤコードは、１つだけ生成されるので、含まれるＳＦＤコードの長さは同一である。タイプ１は、最初から空いている空間なしにＳＦＤコードが前方に位置した場合であり、すなわち、ＳＦＤフィールドの開始点からＳＦＤコードの終了点までである。ガベージデータは、ＳＦＤコードの終了点からＳＦＤフィールドの最後の地点まで位置する。ここで、ＳＦＤコードが終了する時点をＴ１と定義する。これは、ＳＦＤフィールド内で付加情報タイプ１を区分する時間値となる。
【００２７】
上述した方法で、ＳＦＤフィールド内でＳＦＤコードが位置している地点に従って付加情報タイプを区分する他の時間値（Ｔ２−ＴＮ）を取得することができる。ＳＦＤコードが終了する地点に従って他の時間値を有する。これは、同一の１つのＳＦＤコードを用いてその位置した地点に従って付加情報タイプを区分するので、後で受信部において復調する場合にも、コード復調のための単一のハードウェア構成だけでも復調が可能である。
【００２８】
図４は、本発明の一実施形態によるＳＦＤ付加情報マッピングテーブルの構成を示す図である。図４では、タイプ１からタイプＮ別にそれぞれ他の付加情報がマッピングされていることを確認することができる。このようなＳＦＤ付加情報マッピングテーブルは、付加情報の内容が異なり得、予め定義されており、ＳＦＤ送信部及びＳＦＤ受信部の両方とも共有が可能である。また、送信部と受信部とのネゴシエーションを介して調整され得る。
【００２９】
図５は、本発明の一実施形態による通信システムの処理量を示すグラフである。図５を参照すると、２ｍｓの比較的短いパケットを使用すると仮定する際に、既存のヘッダーの送信速度をもっとも低い速度である６２．５ｋｂｐｓに固定した場合に、その処理量は、約７０％であることをわかる。しかしながら、ヘッダーの送信速度を固定せず、本発明のように付加情報をＳＦＤに付加した場合に、１２５ｋｂｐｓでは、その処理量が約８３％であり、２Ｍｂｐｓでは、その処理量が約９４％であることをわかる。ここで、この処理量は、全パケットの長さでユーザデータの長さを割った値である。このように、本発明を適用した場合にその処理量が既存に比べて約２４％程度向上したことをわかる。
【００３０】
上述したように、本発明の一実施形態による開始フレームデリミタを用いるパケット情報送信装置及びその方法の構成及び動作がなされることができる。一方、本発明を具体的な実施形態を参照して詳細に説明してきたが、本発明の範囲及び精神を逸脱することなく様々な変形が可能であるということは、当該技術分野における通常の知識を持つ者には明らかであり、本発明の範囲は、上述の実施形態に限定されるべきではなく、特許請求の範囲の記載及びこれと均等なものの範囲内で定められるべきである。
【符号の説明】
【００３１】
２０１      付加情報マッピングテーブル
２０３      付加情報追加制御部
２０５      ＳＦＤコード生成部
２０７      ガベージ生成部
２１１      プリアンブル検出部
２１３      ＳＦＤコードマッピングフィルター
２１５      ＳＦＤ検出ブロック
【図１】
2013526174.tif 000003
【図２】
2013526174.tif 000004
【図３】
2013526174.tif 000005
【図４】
2013526174.tif 000006
【図５】
2013526174.tif 000007
【国際調査報告】
2013526174.tif 000008
2013526174.tif 000009
2013526174.tif 000010
2013526174.tif 000011